(57)【要約】【課題】球面収差、コマ収差などの諸収差を良好に補正し、広角かつ小型で、高い光学性能が得られるズームレンズを提供すること。【解決手段】物体側から順に、正の屈折力の第１レンズ群、負の屈折力の第２レンズ群、絞り、正の屈折力の第３レンズ群、正の屈折力の第４レンズ群を有し、ズーミング時、第１レンズ群および第３レンズ群は固定、絞りと第３レンズ群の間隔が変化するズームレンズにおいて、該第４レンズ群は少なくとも１枚の負レンズを有し、下記条件を満たすこと。（１）  ０．５＜ｆ３／ｆ４＜１．４５（２）  ０．１＜ｍｓａ／ｍ２＜０．８ｆ３：第３レンズ群の焦点距離ｆ４：第４レンズ群の焦点距離ｍｓａ：絞りの最も物体側位置から最も像側位置への移動量ｍ２：第２レンズ群の広角端から望遠端までの移動量【選択図】図１
2014041195.tif 000002
【特許請求の範囲】
【請求項１】
物体側から順に、正の屈折力の第１レンズ群、負の屈折力の第２レンズ群、絞り、正の屈折力の第３レンズ群、正の屈折力の第４レンズ群を有し、
ズーミング時、第１レンズ群および第３レンズ群は固定、絞りと第３レンズ群の間隔が変化するズームレンズにおいて、
該第４レンズ群は少なくとも１枚の負レンズを有し、下記条件を満たすことを特徴とするズームレンズ。
（１）  ０．５＜ｆ３／ｆ４＜１．４５
（２）  ０．１＜ｍｓａ／ｍ２＜０．８
ｆ３：第３レンズ群の焦点距離
ｆ４：第４レンズ群の焦点距離
ｍｓａ：絞りの最も物体側位置から最も像側位置への移動量
ｍ２：第２レンズ群の広角端から望遠端までの移動量
【請求項２】
前記ズームレンズの広角端の焦点距離をｆｗ、望遠端の焦点距離をｆｔとしたとき、下記条件を満たすことを特徴とする請求項１に記載のズームレンズ。
（３）  ０．８５＜ｆ４／√（ｆｗ×ｆｔ）＜２．０
【請求項３】
前記ズームレンズの第３レンズ群は、少なくとも１枚の負レンズを有し、
（４）  ０．５＜ｆ３／√（ｆｗ×ｆｔ）＜２．０
なる条件を満たすことを特徴とする請求項１又は請求項２に記載のズームレンズ。
【請求項４】
前記ズームレンズの第２レンズ群の最も物体側のレンズは、像側に強い曲率の凹面を有し、第２レンズ群の焦点距離をｆ２としたとき下記条件を満たすことを特徴とする請求項１乃至請求項３の何れか１項に記載のズームレンズ。
（５）  ０．８＜｜ｆ２｜／ｆｗ＜２．０
【請求項５】
前記ズームレンズの絞りは、広角端から望遠端へのズーミング時、物体側へ凸状の軌跡を有すように移動していることを特徴とする請求項１乃至請求項４の何れか１項に記載のズームレンズ。
【請求項６】
前記ズームレンズの絞りは、絞りの広角端から望遠端までの移動量をｍｓとしたとき下記条件を満たすことを特徴とする請求項１乃至請求項５の何れか１項に記載のズームレンズ。
（６） ０．１＜ｍｓ／ｆｗ＜４．０
【請求項７】
請求項１乃至請求項６の何れか１項に記載のズームレンズと該ズームレンズによって形成された像を受光する撮像素子を有することを特徴とする光学機器。
【発明の詳細な説明】
【技術分野】
【０００１】
本発明はズームレンズ及びそれを有する撮像装置に関し、特にスチルカメラ、ビデオカメラ、デジタルスチルカメラそして監視用カメラ等に好適なズームレンズ及びそれを有する撮像装置に好適なものである。
【背景技術】
【０００２】
従来から写真用カメラやビデオカメラなどに使われるズームレンズにおいて、物体側の第１レンズ群より後方のレンズ群を移動させてフォーカスを行う、いわゆるリアフォーカス方式を採用した例が種々と提案されている。
【０００３】
さらに、デジタルカメラ、ビデオカメラにおいてＣＣＤやＣＭＯＳセンサ等の固体撮像素子の高画素化が進み、撮影レンズには色収差を含めて高い光学性能が要求されると共に、小型化が進んでいる。
【０００４】
高変倍比のズームレンズとして、例えば物体から順に、正の屈折力の第１レンズ群、負の屈折力の第２レンズ群、正の屈折力の第３レンズ群を有し、第２レンズ群を光軸に沿って移動することによってズーミングを行なうタイプのズームレンズが知られている。
【０００５】
例えば、特許文献１では、物体側から順に正、負、正、正の屈折力のレンズ群よりなる４群構成のズームレンズにおいて、第４レンズ群を１つのコンポーネントで構成したズームレンズが提案されている。
【０００６】
また、特許文献２では、物体側から順に正、負、正、正の屈折力のレンズ群よりなる４群構成のズームレンズにおいて、第２レンズ群を物体側から像側へ順に負、負、負、正の構成とし、広角化を行ったズームレンズが提案されている。
【先行技術文献】
【特許文献】
【０００７】
【特許文献１】特開平０５−１３４１７８号公報
【特許文献２】特開２００８−３１０２２２号公報
【発明の概要】
【発明が解決しようとする課題】
【０００８】
近年、撮像装置に用いるレンズ系には、高変倍比で広角、かつレンズ系全体が小型であることが強く要望されている。
【０００９】
特に、前述したリアフォーカス式の４群ズームレンズでは変倍作用をする第２レンズ群のレンズ構成及び第３、第４レンズ群の屈折力等を適切に設定することが高ズーム比を確保しつつ、高い光学性能を得るのに大変重要になっている。
【００１０】
これらの構成が適切でないと、広角端から望遠端に至る全ズーム範囲にわたり良好なる光学性能を有するズームレンズを得るのが難しくなってくる。
【００１１】
特許文献１のように、物体側から順に正、負、正、正の屈折力のレンズ群より４群構成のズームレンズにおいて、第４レンズ群を１枚の正レンズで構成し、広角化を図ることも可能だが、ズーミング時の色収差変動の抑制と高倍化の両立が課題となっている。
【００１２】
また、特許文献２のように、第２レンズ群を物体側から像側へ順に負、負、負、正の構成とし、広角化を図ることも可能だが、レンズ全長の短縮、前玉径の小型化の障害となっていた。
【００１３】
そこで、本発明の目的は、このような従来例を鑑みられたもので、小型かつ高変倍でありながら、広角化を図りつつ、全ズーム領域にわたり高い光学性能が得られるズームレンズを提供することである。
【課題を解決するための手段】
【００１４】
上記目的を達成するために、本発明のズームレンズ及びそれを有する撮像装置は、
物体側から順に、正の屈折力の第１レンズ群、負の屈折力の第２レンズ群、絞り、正の屈折力の第３レンズ群、正の屈折力の第４レンズ群を有し、
ズーミング時、第１レンズ群および第３レンズ群は固定、絞りと第３レンズ群の間隔が変化するズームレンズにおいて、
該第４レンズ群は少なくとも１枚の負レンズを有し、下記条件を満たすことを特徴とする。
（１）  ０．５＜ｆ３／ｆ４＜１．４５
（２）  ０．１＜ｍｓａ／ｍ２＜０．８
ｆ３：第３レンズ群の焦点距離
ｆ４：第４レンズ群の焦点距離
ｍｓａ：絞りの最も物体側位置から最も像側位置への移動量
ｍ２：第２レンズ群の広角端から望遠端までの移動量
【発明の効果】
【００１５】
本発明によれば、球面収差、コマ収差などの諸収差を良好に補正したズームレンズにおいて、広角かつ小型で、高い光学性能が得られるズームレンズが実現できる。
【図面の簡単な説明】
【００１６】
【図１】実施例１のズームレンズの広角端のレンズ断面図
【図２】実施例１の収差図（広角端）
【図３】実施例１の収差図（中間１）
【図４】実施例１の収差図（中間２）
【図５】実施例１の収差図（望遠端）
【図６】実施例２のズームレンズの広角端のレンズ断面図
【図７】実施例２の収差図（広角端）
【図８】実施例２の収差図（中間１）
【図９】実施例２の収差図（中間２）
【図１０】実施例２の収差図（望遠端）
【図１１】実施例３のズームレンズの広角端のレンズ断面図
【図１２】実施例３の収差図（広角端）
【図１３】実施例３の収差図（中間１）
【図１４】実施例３の収差図（中間２）
【図１５】実施例３の収差図（望遠端）
【図１６】本発明の撮像装置の要部概略図
【図１７】本発明の撮像装置の要部概略図
【発明を実施するための形態】
【００１７】
各実施例のズームレンズはビデオカメラやデジタルカメラ、銀塩フィルムカメラ、ＴＶカメラなどの撮像装置に用いられる撮影レンズ系である。
【００１８】
尚、各実施例のズームレンズは投射装置（プロジェクタ）用の投射光学系として用いることもできる。
【００１９】
レンズ断面図において、左方が物体側（前方）で、右方が像側（後方）である。
【００２０】
また、レンズ断面図において、ｉを物体側からのレンズ群の順番とすると、Ｂｉは第ｉレンズ群を示す。
【００２１】
本発明は、高変倍比を確保するために、物体側から順に正、負、絞り、正、正の構成とし、高変倍かつ小型なズームレンズを提供している。また、各群のパワー配置を適正化し、高い光学性能を実現している。さらに、絞りを移動させることにより、小型化と広角化の両立を達成している。
【００２２】
上記目的を達成するために、本発明のズームレンズ及びそれを有する撮像装置は、
物体側から順に、正の屈折力の第１レンズ群、負の屈折力の第２レンズ群、絞り、正の屈折力の第３レンズ群、正の屈折力の第４レンズ群を有し、
ズーミング時、第１レンズ群および第３レンズ群は固定、絞りと第３レンズ群の間隔が変化するズームレンズにおいて、
該第４レンズ群は少なくとも１枚の負レンズを有し、下記条件を満たすことを特徴とする。
（１）  ０．５＜ｆ３／ｆ４＜１．４５
（２）  ０．１＜ｍｓａ／ｍ２＜０．８
ｆ３：第３レンズ群の焦点距離
ｆ４：第４レンズ群の焦点距離
ｍｓａ：絞りの最も物体側位置から最も像側位置への移動量
ｍ２：第２レンズ群の広角端から望遠端までの移動量
高変倍比を確保し、収差を良好に補正するために、物体側から順に正、負、絞り、正、正の構成とした。
【００２３】
また、開口絞りを第３レンズ群と別体で適切な位置に移動させることで、広角側の下光線のフレアを効果的に除去することができる。さらに、ズーミングによる周辺光量比の急激な落ち込みを緩和している
条件式（１）は、第３レンズ群の焦点距離を第４レンズ群の焦点距離で規定したものである。
【００２４】
上限を超えた場合、第４レンズ群の焦点距離が小さくなり、良好に収差補正するために第４レンズ群の構成レンズ枚数が増加し、レンズ全長が増大し好ましくない。
【００２５】
下限を超えて第４レンズ群の焦点距離が大きくなりすぎると、変倍に際する像面補正のための移動量またはフォーカスのための移動量が大きくなり、レンズ全長が長くなり良くない。
【００２６】
条件式（２）は、絞りの最も物体側位置から最も像側位置への移動量を第２レンズ群の広角端から望遠端までの移動量で規定したものである。
【００２７】
上限を超えた場合、絞りの移動量が大きくなり、前玉径の小型化には有利だが、不要光（フレア）カット効果が得られず、中間像高でのコマ収差や非点収差、像面湾曲を抑制することが困難となる。
【００２８】
下限を超えた場合、前玉径の小型化と広角化の両立の妨げとなる。また、ズーム中間域での周辺光量比の変化が大きく、好ましくない。
【００２９】
また、ズームレンズの広角端の焦点距離をｆｗ、望遠端の焦点距離をｆｔとしたとき、下記条件を満たすことが望ましい。
（３）  ０．８５＜ｆ４／√（ｆｗ×ｆｔ）＜２．０
条件式（３）は、第３レンズ群の焦点距離を広角端及び望遠端での全系の焦点距離で規定したものである。
【００３０】
上限を超えて第４レンズ群の焦点距離が長くなるとバックフォーカスが長くなり、コンパクトな光学系の達成が困難になり望ましくない。また、第４レンズ群にてフォーカスを行った際、フォーカス時の収差変動が大きく好ましくない。
【００３１】
下限を超えて第４レンズ群の焦点距離が短くなると球面収差、コマ収差が大きくなり、レンズ枚数の増加を招き、レンズ全長が伸びてしまい好ましくない。
【００３２】
また、ズームレンズの第３レンズ群は、少なくとも１枚の負レンズを有し、
（４）  ０．５＜ｆ３／√（ｆｗ×ｆｔ）＜２．０
なる条件を満たすことが望ましい。
【００３３】
条件式（４）は、第３レンズ群の焦点距離を広角端及び望遠端での全系の焦点距離で規定したものである。
【００３４】
上限を超えて第３レンズ群の焦点距離が長くなるとレンズ全長が増大し好ましくない。
【００３５】
下限を超えて第３レンズ群の焦点距離が短くなると広角領域での球面収差と軸上色収差の補正が困難になるため好ましくない。
【００３６】
また、ズームレンズの第２レンズ群の最も物体側のレンズは、像側に強い曲率の凹面を有し、第２レンズ群の焦点距離をｆ２としたとき下記条件を満たすことが望ましい。
（５）  ０．８＜｜ｆ２｜／ｆｗ＜２．０
条件式（５）は、第２レンズ群の焦点距離を広角端の焦点距離で規定したものである。
【００３７】
上限を超えて第２レンズ群の焦点距離が長くなると、レンズ全長が増大し好ましくない。
【００３８】
下限を超えて、第２レンズ群の焦点距離が短くなると、広角領域における画面周辺部のコマ収差、像面湾曲を良好に補正する事が困難となってくる。
【００３９】
また、絞りは、広角端から望遠端へのズーミング時、物体側へ凸状の軌跡を有すように移動することが望ましい。これにより第２レンズ群と第３レンズ群との空間の有効利用を図り、レンズ全長の短縮化と前玉径の小型化を効果的に達成している。
【００４０】
また、ズームレンズの絞りは、絞りの広角端から望遠端までの移動量をｍｓとしたとき下記条件を満たすことが望ましい。
（６） ０．１＜ｍｓ／ｆｗ＜４．０
条件式（６）は、絞りの広角端から望遠端までの移動量を広角端の焦点距離で規定したものである。
【００４１】
上限を超えた場合、絞りの移動量が大きくなり、絞りを移動際に高い位置精度が必要になり、製造が複雑となってくる。
【００４２】
下限を超えた場合、広角端での中間像高での不要光（フレア）カット効果が得られず、中間像高でのコマ収差を抑制することが困難となり、好ましくない。
【００４３】
また、前記ズームレンズの望遠端の焦点距離をｆｔ、第２レンズ群の焦点距離をｆ２とするとき、
（７） ５．０ ＜ ｆｔ／｜ｆ２｜ ＜ ２５．０
なる条件を満たすことが望ましい。
【００４４】
条件式（７）は、望遠端の焦点距離を第２レンズ群の焦点距離で規定するものである。
【００４５】
条件式（７）の上限を超えて第２レンズの焦点距離が小さくなると、高倍率化およびレンズ全長の短縮には有利だが、ペッツバール和が負に大きくなり、像面湾曲の増大を招き好ましくない。
【００４６】
条件式（７）の下限を超えて第２レンズの焦点距離が大きくなると、高倍率化のために、第２レンズ群の移動量を大きくする、または第２レンズ群よりも後方のレンズ群での変倍作用を大きくする必要がある。第２レンズ群の移動量を大きくするとレンズ全長の増大を招き好ましくない。また、第２レンズ群よりも後方のレンズ群の変倍作用を大きくすると、レンズ全系の全長が長くなる、レンズ枚数の増加を招き好ましくない。
【００４７】
ズーミングの際に結像面に対して第１群を固定することにより、高い位置精度を必要とする第２群を外部から保護する筒状の構成とすることが可能となる。また、可動群を減らすことができ、機構部品の簡素化が図れ、コスト低減につながる。機構部品の簡素化はゴミ等の発生を低減することができ、高い性能を維持したズームレンズおよびこれを用いた撮像装置を構成することができる。
【００４８】
また、ズーミングの際に第３レンズ群を固定にし、全系の可動レンズ群を２つに抑えれば、機構部品の低減につながり、撮像装置の小型化が可能となってくる。
【００４９】
また、前記第３レンズ群は少なくとも１面の非球面を有することが望ましい。
【００５０】
広角端でのFナンバーを比較的小さくし、後群のレンズ群を簡素な構成にするために、非球面を有することが望ましい。
【００５１】
条件式（１）から（７）は、次の条件式を満足すると、好ましい。
（１ａ）０．６ ＜ｆ３／ｆ４ ＜１．６
（２ａ）０．２＜ｍｓａ／ｍ２＜０．７
（３ａ）０．８５＜ｆ４／√（ｆｗ×ｆｔ）＜１．７
（４ａ）０．６＜ｆ３／√（ｆｗ×ｆｔ）＜１．７
（５ａ）１．０＜｜ｆ２｜／ｆｗ＜１．８
（６ａ）０．２＜ｍｓ／ｆｗ＜３．５
（７ａ）７．０ ＜ｆｔ／｜ｆ２｜ ＜２０．０
さらに、次の条件式を満足するとより一層好ましい。
（１ｂ）０．７ ＜ ｆ３／ｆ４ ＜ １．４
（２ｂ）０．３＜ｍｓａ／ｍ２＜０．６
（３ｂ）０．８５＜ｆ４／√（ｆｗ×ｆｔ）＜１．４
（４ｂ）０．７＜ｆ３／√（ｆｗ×ｆｔ）＜１．４
（５ｂ）１．２＜｜ｆ２｜／ｆｗ＜１．６
（６ｂ）０．４＜ｍｓ／ｆｗ＜３．０
【実施例】
【００５２】
以下、数値実施例１〜３を本実施形態と呼ぶ。
【００５３】
また、第３レンズ群に非球面形状の面を含むレンズを採用すれば、口径比が大きくとも良好な結像性能を保つことができるので好ましい。
【００５４】
以上のように各実施例によれば、各レンズ群の構成、パワー配置による変倍分担を適切に設定することにより、高ズーム比でありながら、高い結像性能を有すズームレンズを得ている。
【００５５】
次に本発明のズームレンズを撮影光学系として用いたカムコーダーの実施例を図１３、デジタルスチルカメラの実施例を図１４を用いて説明する。
【００５６】
図１３において、１０はカメラ本体、１１は実施例１〜３に説明したいずれかのズームレンズによって構成された撮影光学系である。
【００５７】
１２はカメラ本体に内蔵され、撮影光学系１１によって形成された被写体像を受光するＣＣＤセンサやＣＭＯＳセンサ等の固体撮像素子（光電変換素子）である。
【００５８】
１３は液晶ディスプレイパネル等によって構成され、固体撮像素子１２上に形成された被写体像を観察するためのファインダである。
【００５９】
図１４において、２０はカメラ本体、２１は実施例１〜３に説明したいずれかのズームレンズによって構成された撮影光学系である。
【００６０】
２２はカメラ本体に内蔵され、撮影光学系２１によって形成された被写体像を受光するＣＣＤセンサやＣＭＯＳセンサ等の固体撮像素子（光電変換素子）である。
【００６１】
実施例においてＲｉは物体側より順に第ｉ番目の面の曲率半径、Ｄｉは物体側より順に第ｉ番目と第ｉ＋１番目間のレンズ厚及び空気間隔、Ｎｉとνｉは各々物体側より順に第ｉ番目の光学部材の材質の屈折率とアッベ数である。又前述の各条件式と実施例１から３の関係をそれぞれ表１に示す。
【００６２】
非球面形状は光軸方向にＸ軸、光軸と垂直方向にＨ軸、光の進行方向を正としＲを近軸曲率半径、Ｋを円錐定数、Ａ４〜Ａ１０を各々非球面係数としたとき
【００６３】
【数１】
2014041195.tif 000003
【００６４】
なる式で表している。
【００６５】
*は非球面形状を有する面を意味している。
【００６６】
「ｅ−ｘ」は１０-xを意味している。
【００６７】
ｆは焦点距離、ＦｎｏはＦナンバー、ωは画角を示す。
【実施例１】
【００６８】
単位 mm
面データ
面番号       r        d      nd         vd
1         42.504    1.10   1.84666    23.9           
2         20.222    4.17   1.61363    59.4           
3      -10395.688    0.18                             
4         20.199    2.61   1.77782    49.2           
5         62.820  (可変)                             
6         43.118    0.65   1.88300    40.8           
7          5.143    2.37                             
8        -20.777    0.60   1.83557    42.5           
9         11.151    0.50                             
10         10.057    1.55   1.92286    18.9           
11        107.692  (可変)                             
12(絞り)    ∞     (可変)                             
13*         6.325    2.98   1.58313    59.4           
14         12.563    0.00                             
15         12.563    0.80   1.80610    33.3           
16          5.748    0.24                             
17          6.613    2.49   1.53511    62.9           
18*       329.406  (可変)                             
19*        15.288    2.73   1.73400    52.7           
20         -7.861    0.60   1.84666    23.9           
21        -24.837  (可変)                             
22          ∞       2.00   1.51633    64.1           
23          ∞       1.00                             
像面        ∞   
非球面データ
第13面
K =-5.50776e-002  A 4=-1.25003e-004  A 6=-1.16593e-006  A 8=-9.10953e-008  
第18面
K = 5.55582e+003  A 4= 3.84079e-004  
第19面
K = 7.43773e-001  A 4=-5.31541e-005  A 6=-2.11908e-006  
各種データ
ズーム比     11.68 
焦点距離       3.80     8.15    18.65    44.45  
Fナンバー      1.85     2.36     2.73     3.00  
画角          30.60    15.43     6.88     2.90  
像高           2.25     2.25     2.25     2.25  
レンズ全長    58.57    58.57    58.57    58.57  
BF             8.32    10.25    11.53     8.57  
d 5            0.70     8.39    13.98    18.17  
d11           16.89     5.26     1.79     1.94  
d12            3.72     7.67     5.55     1.21  
d18            5.36     3.42     2.14     5.11  
d21            6.00     7.93     9.21     6.25  
ズームレンズ群データ
群  始面    焦点距離  
1    1      28.89  
2    6      -5.53  
3   12       ∞    
4   13      16.78  
5   19      15.18  
6   22       ∞    
【実施例２】
【００６９】
単位 mm
面データ
面番号       r        d      nd         vd
1         42.856    1.10   1.84666    23.9           
2         20.188    4.16   1.60311    60.6           
3        849.346    0.18                             
4         20.396    2.60   1.80400    46.6           
5         62.512  (可変)                             
6         37.323    0.65   1.88300    40.8           
7          5.023    2.46                             
8        -22.912    0.60   1.83481    42.7           
9         12.145    0.46                             
10         10.040    1.53   1.92286    18.9           
11         78.354  (可変)                             
12(絞り)    ∞     (可変)                             
13*         9.808    3.70   1.58313    59.4           
14*       -21.660    0.48                             
15         10.102    2.10   1.48749    70.2           
16        -36.237    0.60   1.80610    33.3           
17          8.325  (可変)                             
18*        14.994    2.62   1.74100    52.6           
19         -8.926    0.60   1.84666    23.9           
20        -20.260  (可変)                             
21          ∞       2.00   1.51633    64.1           
22          ∞     (可変)                             
像面        ∞   
非球面データ
第13面
K =-9.52182e-001  A 4=-1.77156e-005  A 6= 4.54808e-007  A 8=-2.46994e-008  
A 5= 1.77671e-006  A 7= 4.66110e-008  
第14面
K =-8.76903e+000  A 4=-2.20744e-005  A 6=-4.82301e-007  
A 5= 4.56236e-006  
第18面
K =-1.55662e-001  A 4=-8.66963e-005  A 6=-9.84251e-007  
各種データ
ズーム比     11.69 
焦点距離       3.80     7.79    18.61    44.39  
Fナンバー      1.85     2.34     2.73     3.00  
画角          30.65    16.12     6.89     2.90  
像高           2.25     2.25     2.25     2.25  
レンズ全長    59.84    59.84    59.84    59.84  
BF             7.98     9.70    10.99     8.19  
d 5            0.70     8.30    14.45    18.79  
d11           16.60     5.83     1.97     1.85  
d12            5.56     8.73     6.44     2.22  
d17            5.15     3.44     2.14     4.95  
d20            5.66     7.38     8.67     5.87  
d22            1.00     1.00     1.00     1.00  
ズームレンズ群データ
群  始面    焦点距離  
1    1      29.71  
2    6      -5.73  
3   12       ∞    
4   13      17.40  
5   18      13.05  
6   21       ∞    
【実施例３】
【００７０】
単位 mm
面データ
面番号       r        d      nd         vd
1         38.941    0.95   1.84666    23.9           
2         17.292    3.30   1.69680    55.5           
3       -403.638    0.20                             
4         15.724    1.90   1.77250    49.6           
5         34.844  (可変)                             
6         18.342    0.55   1.88300    40.8           
7          4.681    1.40                             
8        -17.001    0.50   1.77250    49.6           
9          4.916    1.00                             
10          6.699    1.15   1.92286    18.9           
11         15.660  (可変)                             
12(絞り)    ∞     (可変)                             
13*         8.901    2.55   1.58313    59.4           
14*       -17.345    0.50                             
15         12.200    0.60   1.84666    23.9           
16          7.225  (可変)                             
17         15.211    2.62   1.65844    50.9           
18         -5.176    0.50   1.84666    23.9           
19        -10.072  (可変)                             
20          ∞       2.00   1.51633    64.1           
21          ∞       1.00                             
像面        ∞   
非球面データ
第13面
K =-1.20668e+000  
A 5=-1.45224e-005  A 7=-3.85201e-007  A 9= 9.47615e-009  
第14面
K =-1.26708e+001  
A 5=-2.32556e-005  A 7= 1.08503e-007  
各種データ
ズーム比     24.98 
焦点距離       2.66     3.23    22.38    66.40  
Fナンバー      1.85     1.87     2.36     4.38  
画角          31.04    26.34     4.09     1.38  
像高           1.60     1.60     1.60     1.60  
レンズ全長    50.60    50.60    50.60    50.60  
BF             8.13     8.56    11.48     4.92  
d 5            0.60     2.47    13.37    16.18  
d11           10.70     8.71     1.66     1.12  
d12            7.10     7.22     3.36     1.10  
d16            6.35     5.91     3.00     9.55  
d19            5.81     6.24     9.16     2.60  
ズームレンズ群データ
群  始面    焦点距離  
1    1      23.70  
2    6      -3.80  
3   12       ∞    
4   13      16.39  
5   17      11.43  
6   20       ∞    
【００７１】
【表１】
2014041195.tif 000004
【符号の説明】
【００７２】
Ｂ１…第１レンズ群
Ｂ２…第２レンズ群
Ｂ３…第３レンズ群
Ｂ４…第４レンズ群
Ｂ５…第５レンズ群
ｄ…ｄ線
ｇ…ｇ線
ΔＭ…メリディオナル像面
ΔＳ…サジタル像面
ＳＰ…絞り
ＦＰ…フレアカット絞り
ＩＰ…結像面
Ｇ…センサのフェースプレートやローパスフィルター等のガラスブロック
球面収差…実線：ｄ線、点線：Ｆ線、１点鎖線：Ｃ線、２点鎖線：ｇ線
非点収差…実線：ｄ線ΔＳ、点線：ｄ線ΔＭ、１点鎖線：ｇ線ΔＳ、２点鎖線：ｇ線ΔＭ
歪曲…ｄ線
倍率色収差…点線：Ｆ線、１点鎖線：Ｃ線、２点鎖線：ｇ線
【図１】
2014041195.tif 000005
【図２】
2014041195.tif 000006
【図３】
2014041195.tif 000007
【図４】
2014041195.tif 000008
【図５】
2014041195.tif 000009
【図６】
2014041195.tif 000010
【図７】
2014041195.tif 000011
【図８】
2014041195.tif 000012
【図９】
2014041195.tif 000013
【図１０】
2014041195.tif 000014
【図１１】
2014041195.tif 000015
【図１２】
2014041195.tif 000016
【図１３】
2014041195.tif 000017
【図１４】
2014041195.tif 000018
【図１５】
2014041195.tif 000019
【図１６】
2014041195.tif 000020
【図１７】
2014041195.tif 000021